(57)【特許請求の範囲】
【請求項１】
パネル本体と、外装材と、前記パネル本体の壁面に直接或いは所定幅離間して前記外装材を取り付ける取付金具と、を備えた外壁パネルであって、
前記取付金具は、
前記パネル本体の壁面に、縦方向及び横方向に所定の間隔で取り付けられるパネル本体側取付金具と、
前記外装材に取り付けられ、前記パネル本体側取付金具の任意場所で係止される外装材側取付金具と、から構成され、
前記パネル本体側取付金具は、両側端部に沿って形成された溝部を備え、
前記外装材側取付金具は、
前記外装材の一の側面部に取り付けられ、前記溝部に、該溝部に沿って移動可能に係合する第１の溝部係合部を備えた第１の外装材側取付金具と、
前記外装材の他の一の側面部に取り付けられ、前記溝部に、該溝部に沿って移動可能に係合する第２の溝部係合部を備えた第２の外装材側取付金具と、
からなり、
前記第１の外装材側取付金具と前記第２の外装材側取付金具とが、前記溝部の長手方向の任意位置で係止することにより、前記第１の溝部係合部と前記第２の溝部係合部が溝部を押圧するように構成されていることを特徴とする外壁パネル。
【請求項２】
請求項１記載の外壁パネルにおいて、
前記パネル本体は、住宅の躯体を構成していることを特徴とする外壁パネル。
【請求項３】
請求項１又は２に記載の外壁パネルにおけるパネル本体に外装材を取り付ける外装材取付方法において、
前記パネル本体を立設し、
次いで、前記パネル本体の壁面に、縦方向及び横方向に所定の間隔で前記パネル本体側取付金具を取り付け、
次いで、前記パネル本体側取付金具の前記溝部に、前記第１の外装材側取付金具の前記第１の溝部係合部を移動可能に係合させ、
次いで、前記第１の外装材側取付金具に、一の外装材を取り付け、
次いで、前記パネル本体側取付金具の前記溝部に、前記第２の外装材側取付金具の前記第２の溝部係合部を移動可能に係合させ、
次いで、前記第２の外装材側取付金具に、他の一の外装材を取り付け、
次いで、前記第１の外装材側取付金具と前記第２の外装材側取付金具とを、係止させて、前記第１の溝部係合部と前記第２の溝部係合部とを、前記溝部に押圧させることを特徴とする外装材取付方法。
【請求項４】
請求項１又は２に記載の外壁パネルにおけるパネル本体に外装材を取り付ける外装材取付方法において、
前記パネル本体の壁面に、縦方向及び横方向に所定の間隔で前記パネル本体側取付金具を取り付け、
次いで、前記パネル本体を立設し、
次いで、前記パネル本体側取付金具の前記溝部に、前記第１の外装材側取付金具の前記第１の溝部係合部を移動可能に係合させ、
次いで、前記第１の外装材側取付金具に、一の外装材を取り付け、
次いで、前記パネル本体側取付金具の前記溝部に、前記第２の外装材側取付金具の前記第２の溝部係合部を移動可能に係合させ、
次いで、前記第２の外装材側取付金具に、他の一の外装材を取り付け、
次いで、前記第１の外装材側取付金具と前記第２の外装材側取付金具とを、係止させて、前記第１の溝部係合部と前記第２の溝部係合部とを、前記溝部に押圧させることを特徴とする外装材取付方法。
【発明の詳細な説明】
【０００１】
【発明の属する技術分野】
本発明は、外装材を具備した外壁パネル、パネル本体に外装材を取り付ける外装材取付方法に関する。
【０００２】
【背景の技術】
近年、住宅の構築についてはその工業化が進み、例えば壁や床、屋根といった構成要素を予め工場にてパネル化しておき、施工現場でこれらのパネルを組み立てることにより、住宅を構築するといったパネル工法が一部に採用されている。
このようなパネル工法に用いられるパネルとして、例えば、図２０に示すような壁パネルが知られている。
【０００３】
図２０に示す壁パネル１００は、縦框材１０１，１０１と横框材１０２，１０２とが矩形状に組み立てられるとともに、この矩形枠の内部に補強芯材１０３…が縦横に組まれて枠体１０４が形成され、さらにこの枠体１０４内にグラスウール等の断熱材（図示省略）が充填された状態で枠体１０４の表裏面に合板等の面材１０５，１０５が貼設されたものである。
外壁用の壁パネルでは、更に、前記面材１０５，１０５に胴縁を取り付け、その上に外装材を取り付けていた。
しかし、胴縁は、所定の厚みを有する細板状の木材であるが、近年、安価に入手することが困難になっている。そこで、胴縁を使用しないで取付金具により外装材を取り付ける方法も知られている（例えば、特開平１０−３０６５０９号に開示されている）。
【０００４】
前記取付金具を用いた外装材の取付方法としては、例えば、図２１に示すような取付方法がある。
図２１において、外壁１１０の外面に縦方向に長いジョイナー１１１…を所定の間隔で取り付けた後、外装材１１２を下から上へ横貼りで取り付け、この際、取付金具１１３を所定の間隔に配置させて外装材１１２を取り付ける。即ち、取付金具１１３は、例えば、鉄板を抜き打ち、及び折曲加工したものからなり、下側の外装材１１２の端面部と係合する下係合部（図示省略）と、上側の外装材１１２の端面部と係合して支持する上係合部（図示省略）を有している。
そして、この取付金具１１３の下係合部を下側の外装材１１２の端面部に設けられた被係合部に係合させた状態で外壁１１０に取付金具１１３を固定し、更に、次の外装材１１２を該外装材１１２の下側端面部に設けられた被係合部と前記取付金具１１３の上係合部に係合させる。このような工程を繰り返すことにより、外装材１１２を壁の上端まで取り付けることが出来るようになっている。
【０００５】
【発明が解決しようとする課題】
しかしながら、従来の取付金具は、パネル本体に取り付けられる部分と、外装材に取り付けられる部分とが、一体となっているため、予め取付金具のパネル本体が取り付けられる部分をパネル本体に所定間隔で取り付けた後、この取付金具に外装材を取り付けることが難しい。
その理由は、外装材の寸法誤差が許容範囲内にあっても、何枚か連続して取り付けると、合計の寸法誤差が大きくなる。そして、この寸法誤差が取付金具間の幅許容差よりも大きくなって、パネル本体に外装材を取り付けられないおそれがあるためである。
従って、従来は取付金具のパネル本体に取り付けられる部分のパネル本体への取付は現場作業が必須となっており、この取付金具のパネル本体に取り付けられる部分とパネル本体間の取り付けは、通常は、ビスや釘打ちであるため、現場での作業負荷が大きいという問題点があった。
【０００６】
本発明は上記問題点を解決するためになされたものであって、パネル本体に取付金具を使用して容易に外装材を取り付けることが可能な外壁パネルを提供することを目的とし、更に、パネル本体に容易に外装材を取り付けることが出来る外装材の取付方法を提供することを目的とする。
【０００７】
【課題を解決するための手段】
上記課題を解決するため、
請求項１記載の発明は、図１〜図１９に示すように、パネル本体４と、外装材５と、前記パネル本体４の壁面４ｃ（例えば、面材）に直接或いは所定幅離間して前記外装材５を取り付ける取付金具１、２、３と、を備えた外壁パネル１０であって、
前記取付金具１、２、３は、
前記パネル本体４の壁面４ｃに、縦方向及び横方向に所定の間隔で取り付けられるパネル本体側取付金具１と、
前記外装材５に取り付けられ、前記パネル本体側取付金具１の任意場所で係止される外装材側取付金具２、３と、から構成され、
前記パネル本体側取付金具１は、両側端部に沿って形成された溝部１４（例えば、折り返し部）を備え、
前記外装材側取付金具２、３は、
前記外装材５の一の側面部５ａに取り付けられ、前記溝部１４に、該溝部１４に沿って移動可能に係合する第１の溝部係合部２１ａ（例えば、第１のベース部の側端部）を備えた第１の外装材側取付金具２と、
前記外装材５の他の一の側面部５ｂに取り付けられ、前記溝部１４に、該溝部１４に沿って移動可能に係合する第２の溝部係合部３１ａ（例えば、第２のベース部の側端部）を備えた第２の外装材側取付金具３と、
からなり、
前記第１の外装材側取付金具２と前記第２の外装材側取付金具３とが、前記溝部１４の長手方向の任意位置で係止することにより、前記第１の溝部係合部２１ａと前記第２の溝部係合部３１ａが溝部１４を押圧するように構成されていることを特徴としている。
【０００８】
請求項１記載の発明によれば、外装材５をパネル本体４に取り付ける取付金具１、２、３が、パネル本体側取付金具１と外装材側取付金具２、３から構成され、パネル本体側取付金具１の任意場所で外装材側取付金具２、３が係止されるので、パネル本体側取付金具１を予めパネル本体４に取り付けた場合でも、外装材５の寸法誤差の影響を吸収して外装材５をパネル本体４に取り付けることが出来る。
即ち、従来のパネル本体４に直接取り付けられる部分と外装材５に取り付けられる部分が一体化された取付金具を予めパネル本体４に取り付けた場合、外装材５の寸法誤差が許容範囲内にあっても、何枚か連続して取り付けた結果、合計の寸法誤差が外装材側取付金具間の幅許容差よりも大きくなると、パネル本体４に外装材５を取り付けられないおそれがあったが、本発明の取付金具１、２、３を使用すると、外装材５の取付位置をパネル本体側取付金具１内で調整出来るので、寸法誤差分を容易に吸収出来る。
従って、例えば、工場等でパネル本体側取付金具１を予めパネル本体４に取り付けておくことが出来て、外装材５のパネル本体４への現場での取付作業が容易となる。
また、第１の溝部係合部２１ａ及び第２の溝部係合部３１ａが溝部１４に弾性的に押圧され、第１の外装材側取付金具２と第２の外装材側取付金具３とが、溝部１４の長手方向の任意位置で係止されるので、釘やビス、或いは接着剤等を用いずとも第１の外装材側取付金具２と第２の外装材側取付金具３とがパネル本体側取付金具１に固定されることとなって、より外装材５の取付作業を容易にすることが出来る。
【０００９】
ここで、本発明が適用されるパネル本体４は、例えば、在来工法によって構築されたものであってもよいし、２×４工法やパネル工法によって構築されたパネル本体であってもよい。
パネル本体側取付金具１と外装材側取付金具２、３を係止させる手段としては、例えば、接着剤や釘或いはビス等の係合手段を用いてもよいし、或いはパネル本体側取付金具１と外装材側取付金具２、３同士を弾性的に係合させて固定してもよい。
パネル本体側取付金具１、第１の外装材側取付金具２及び第２の外装材側取付金具３は、例えば、ステンレス製のものを用いるが、これ以外の金属であってもよい。
【００１２】
請求項２記載の発明は、請求項１記載の外壁パネル１０において、
前記パネル本体４は、住宅の躯体を構成していることを特徴としている。
【００１３】
請求項２記載の発明によれば、請求項１記載の発明の効果と同様の効果が得られることは無論のこと、特に、パネル本体４は、住宅の躯体を構成しているので、躯体に直接外装材５を取り付けることが出来て、施工効率が向上する。
即ち、パネル本体４が躯体でない場合には、別途躯体となるべきパネル本体を設けなければならないが、パネル本体４が躯体を構成しているのでそのような必要はなく、作業効率の向上が可能となる。
【００１４】
請求項３記載の発明は、請求項１又は２に記載の外壁パネルにおけるパネル本体４に外装材５を取り付ける外装材取付方法において、
前記パネル本体４を立設し、
次いで、前記パネル本体４の壁面４ｃに、縦方向及び横方向に所定の間隔で前記パネル本体側取付金具１を取り付け、
次いで、前記パネル本体側取付金具１の前記溝部１４に、前記第１の外装材側取付金具２の前記第１の溝部係合部２１ａを移動可能に係合させ、
次いで、前記第１の外装材側取付金具２に、一の外装材５を取り付け、
次いで、前記パネル本体側取付金具１の前記溝部１４に、前記第２の外装材側取付金具３の前記第２の溝部係合部３１ａを移動可能に係合させ、
次いで、前記第２の外装材側取付金具３に、他の一の外装材５を取り付け、
次いで、前記第１の外装材側取付金具２と前記第２の外装材側取付金具３とを、係止させて、前記第１の溝部係合部２１ａと前記第２の溝部係合部３１ａとを、前記溝部１４に押圧させることを特徴としている。
【００１５】
請求項３記載の発明によれば、パネル本体４を立設した後、パネル本体４の壁面４ｃに、縦方向及び横方向に所定の間隔でパネル本体側取付金具１が取り付けられ、次いで、パネル本体側取付金具１の溝部１４に、第１の外装材側取付金具２の第１の溝部係合部２１ａが移動可能に係合され、次いで、第１の外装材側取付金具２に、一の外装材５が取り付けられ、次いで、パネル本体側取付金具１の溝部１４に、第２の外装材側取付金具３の第２の溝部係合部３１ａが移動可能に係合され、次いで、第２の外装材側取付金具３に、他の一の外装材５が取り付けられ、次いで、第１の外装材側取付金具２と第２の外装材側取付金具３とを、係止させて、第１の溝部係合部２１ａと第２の溝部係合部３１ａとが、溝部１４に押圧される。
従って、隣接する外装材５、５同士の取り付け位置を溝部１４の長さの範囲で調整出来ることとなって、外装材５のパネル本体４への取付作業を容易にすることが出来る。
【００１６】
請求項４記載の発明は、請求項１又は２に記載の外壁パネルにおけるパネル本体４に外装材５を取り付ける外装材取付方法において、
前記パネル本体４の壁面４ｃに、縦方向及び横方向に所定の間隔で前記パネル本体側取付金具１を取り付け、
次いで、前記パネル本体４を立設し、
次いで、前記パネル本体側取付金具１の前記溝部１４に、前記第１の外装材側取付金具２の前記第１の溝部係合部２１ａを移動可能に係合させ、
次いで、前記第１の外装材側取付金具２に、一の外装材５を取り付け、
次いで、前記パネル本体側取付金具１の前記溝部１４に、前記第２の外装材側取付金具３の前記第２の溝部係合部３１ａを移動可能に係合させ、
次いで、前記第２の外装材側取付金具３に、他の一の外装材５を取り付け、
次いで、前記第１の外装材側取付金具２と前記第２の外装材側取付金具３とを、係止させて、前記第１の溝部係合部２１ａと前記第２の溝部係合部３１ａとを、前記溝部１４に押圧させることを特徴としている。
【００１７】
請求項４記載の発明によれば、パネル本体４の壁面４ｃに、縦方向及び横方向に所定の間隔でパネル本体側取付金具１が取り付けられた後、次いで、パネル本体４が立設され、次いで、パネル本体側取付金具１の溝部１４に、第１の外装材側取付金具２の第１の溝部係合部２１ａが移動可能に係合され、次いで、第１の外装材側取付金具２に、一の外装材５が取り付けられ、次いで、パネル本体側取付金具１の溝部１４に、第２の外装材側取付金具３の第２の溝部係合部３１ａが移動可能に係合され、次いで、第２の外装材側取付金具３に、他の一の外装材５が取り付けられ、次いで、第１の外装材側取付金具２と第２の外装材側取付金具３とが、係止されて、第１の溝部係合部２１ａと第２の溝部係合部３１ａとが、溝部１４に押圧される。
従って、隣接する外装材５、５同士の取り付け位置を溝部１４の長さの範囲で調整出来ることなって、外装材５のパネル本体４への取付作業を容易にすることが出来る。
加えて、パネル本体４の立設前に、予めパネル本体４にパネル本体側取付金具１を取り付けておくことが出来るので、パネル本体側取付金具１の取付作業を工場等で出来ることとなって、現場作業効率の向上を図ることが出来る。
【００１８】
【発明の実施の形態】
以下、図を参照して本発明に係る取付金具、この取付金具を用いて構築した外壁構造およびこの取付金具を用いた外装材の取付方法の実施の形態について詳細に説明する。
図１に本発明に係る取付金具を用いて構築した外壁構造を示すための外壁部要部の断面図を示す。
【００１９】
本発明に係る外壁構造では、図２〜４に示すパネル本体側取付金具１と、図５〜９に示す第１の外装材側取付金具２と、図１０〜図１４に示す第２の外装材側取付金具３と、を用いてパネル本体４に外装材５が取り付けられている。
前記パネル本体側取付金具１は、図１に示すように、パネル本体４に取り付けられる下地用の取付金具であり、前記第１の外装材側取付金具２と前記第２の外装材側取付金具３に係合されている。
【００２０】
前記パネル本体４は、例えば、図１５に示すように、縦框材４ａと横框材４ｂとが矩形状に組み立てられるとともに、この矩形枠の内部に補強芯材（図示省略）が縦横に組まれて枠体が形成され、さらにこの枠体内にグラスウール等の断熱材（図示省略）が充填された状態で枠体の表裏面に合板等の面材４ｃ、４ｄが貼設されたものであり、住宅の躯体を構成している。
【００２１】
前記外装材５は、図１に示すように、前記パネル本体４から所定間隔離間して設けられ、その一方の側端部５ａに下実部５１が形成され、他方の側端部５ｂに上実部５２が形成されている。そして、前記下実部５１の下実５１ａに前記第１の外装材側取付金具２が係合している。また、前記上実部５２の上実５２ａの下側には、凸部５２ｂが設けられ、該凸部５２ｂに前記第２の外装材側取付金具３が係合している。
また、以上のパネル本体４と、パネル本体側取付金具１と、第１の外装材側取付金具２と、第２の外装材側取付金具３と、外装材５とによって、外壁パネル１０が構成されている。
【００２２】
次に、パネル本体側取付金具の構造について説明する。
図２は、本発明に係るパネル本体側取付金具の外観斜視図であり、図３は、同パネル本体側取付金具の平面図、図４は、同正面図である。
図２〜図４に示す前記パネル本体側取付金具１は、一枚のステンレス製の鉄板を所定の部位で折曲加工して形成されるものであり、平面視において矩形状を呈している。前記パネル本体側取付金具１は、前記パネル本体４に取り付けられるパネル本体取付部１１と、前記パネル本体取付部１１の長手方向両端部から上方に垂直に立ち上がった立ち上がり部１２が設けられ、前記立ち上がり部１２の上端部１２ａには、水平に外側に突出して前記第１の外装材側取付金具２及び第２の外装材側取付金具３が移動可能に係合される係合部１３を備えている。
【００２３】
前記パネル本体取付部１１は、矩形板状をなし、その中央部には、釘或いはビス等を打ち付けるためのビス穴１１ａが長さ方向に所定の間隔で３つ設けられている。
前記立ち上がり部１２は、その高さによって、外装材５とパネル本体４の間の間隔を調整することが出来、いわゆる従来の胴縁の役割を担っている。従って、この立ち上がり部１２により、胴縁を使用しなくとも、外装材５とパネル本体４を離間させることが出来る。
【００２４】
前記係合部１３は、幅方向の先端部が折り返されることによって折り返し部１４（溝部）が形成され、該折り返し部１４の上部１４ａと下部１４ｂの間に隙間部１４ｃが形成されている。
前記隙間部１４ｃの厚みは、前記第１の外装材側取付金具２及び第２の外装材側取付金具３の板厚の略２倍程度にされている。
【００２５】
次に、第１の外装材側取付金具２の構造について説明する。
図５は、本発明に係る第１の取付金具の外観斜視図であり、図６は、同パネル本体側取付金具の平面図、図７は、同正面図、図８は、同左側面図、図９は、同背面図である。
前記第１の外装材側取付金具２は、ステンレス製の鉄板からなり、平面視において矩形状を呈している。この第１の外装材側取付金具２は、第１のベース部２１と、当該第１のベース部２１の長手方向端部から垂直に立ち上がり、その上端部が前記第１ベース部２１側に９０度折れ曲がって形成された第１のＬ字部２２と、前記第１のＬ字部２２の下端部の長手方向中央部に外方に突出して形成された第１の突出部２３（押圧部、突出片）などにより概略構成されている。
【００２６】
前記第１のベース部２１には、その中央部に四角錐台状に形成された第１の凸リブ部２４が設けられている。また、前記第１のベース部２１と前記第１のＬ字部２２によって、側面視においてコ字状の形態をなす第１の外装材係合部２５が形成され、当該第１の外装材係合部２５に前記外装材５の下実部５１が嵌入されるようになっている。
前記第１のＬ字部２２の下端両側部には、所定の隙間を有する第１の切り欠き部２６、２６が設けられている。そして、前記折り返し部１４の隙間部１４ｃに前記第１のベース部２１の両側端部２１ａ、２１ａ（第１の溝部係合部）が挿入された場合には、前記パネル本体側取付金具１の折り返し部１４の上部１４ａが前記第１の切り欠き部２６を通ることが出来るようになっている。
【００２７】
前記第１の突出部２３は、反るように上方に曲げられている。
前記第１の凸リブ部２４は、外装材５を安定してＬ字部２２に固定させるためのものである。
【００２８】
次に、第２の外装材側取付金具３の構造について説明する。
図１０は、本発明に係る第２の外装材側取付金具の外観斜視図であり、図１１は、同パネル本体側取付金具の平面図、図１２は、同正面図、図１３は、同右側面図、図１４は、同背面図である。
前記第２の外装材側取付金具３は、第１の外装材側取付金具２と同様に、ステンレス製の鉄板からなり、平面視において矩形状を呈している。この第２の外装材側取付金具３は、第２のベース部３１と、当該第２のベース部３１の長手方向端部から垂直に立ち上がり、その上端部が前記第２のベース部３１側に折れ曲がって形成された第２のＬ字部３２と、前記第２のＬ字部３２の下端部３２ａの長手方向中央部から左右に所定位置離れた場所に外方に各々突出して形成された第２の突出部３３、３３などにより概略構成されている。
【００２９】
前記第２のベース部３１には、その中央部に四角錐台状に形成された第２の凸リブ部３４が設けられている。また、前記第２のベース部３１と前記第２のＬ字部３２によって、側面視においてコ字状の形態をなす第２の外装材係合部３５が形成され、当該第２の外装材係合部３５に前記外装材５の上実部５２の凸部５２ｂが嵌入されるようになっている。
前記第２のＬ字部３２の下端両側部３２ａには、所定の隙間を有する第２の切り欠き部３６が設けられている。そして、前記折り返し部１４の隙間部１４ｃに前記第２のベース部３１の両側端部３１ａ、３１ａ（第２の溝部係合部）が挿入された場合には、前記パネル本体側取付金具１の折り返し部１４の上部１４ａが前記第２の切り欠き部３６を通ることが出来るようになっている。
【００３０】
前記第２の突出部３３、３３は、下方に反るように曲げられている。
前記第１の凸リブ部２４は、前記ベース部２１を補強するためのものである。
【００３１】
続いて、前記パネル本体側取付金具１と、前記第１の外装材側取付金具２と、前記第２の外装材側取付金具３を用いた外装材５のパネル本体４への取付方法について図１及び図１５〜図１９を用いて説明する。
まず、図１５に示すように、住宅の外壁面を形成するパネル本体４に、パネル本体側取付金具１…を垂直方向及び水平方向に所定の間隔でビス６を前記パネル本体取付部１１の前記ビス穴１１ａに打ち込むことにより固定する。
【００３２】
次いで、図１６に示すように、第１の外装材側取付金具２の第１のベース部２１の両側端部２１ａ、２１ａをパネル本体側取付金具１の折り返し部１４の隙間部１４ｃに前記第１のＬ字部２２を先端にしてスライドさせて入れ込み、前記第１の外装材側取付金具２の外装材係合部２５に前記外装材５の下実部５１の下実５１ａを嵌入させる。
次いで、図１７に示すように、第２の外装材側取付金具３の第２のベース部３１の両側端部３１ａ、３１ａをパネル本体側取付金具１の折り返し部１４の隙間部１４ｃに前記第２のＬ字部３２を先端にしてスライドさせて入れ込む。そして、前記第２の外装材側取付金具３の第２の外装材係合部３５に、次の外装材５の上実部５２の凸部５２ｂに嵌入させる。
【００３３】
続いて、図１８に示すように、前記第１の外装材係合部２５に前記第２の外装材係合部３５が接近するように、前記第２の外装材側取付金具３を移動させる。すると、図１に示す状態となる。ここで、前記第１の外装材係合部２５と前記第２の外装材係合部３５の係合状態を図１９のＡ部拡大図で説明する。前記第１の突出部２３は、前記第２のベース部３１の上面を下方向に押圧して入り込み、前記第２の突出部３３、３３は、前記第１のベース部２１の下面を上方向に押圧して入り込む。これにより、前記第１のベース部２１の両側端部２１ａ、２１ａが前記折り返し部１４の上部１４ａに当接し、前記第２のベース部３１の両側端部３１ａ、３１ａが前記折り返し部１４の下部１４ｂに当接することとなって、前記第１の外装材側取付金具２と前記第２の外装材側取付金具３が前記パネル本体側取付金具１に係合されて固定される。
【００３４】
以上説明したパネル本体側取付金具１、第１の外装材側取付金具２と第２の外装材側取付金具３を用いることにより、外装材５をパネル本体４に取り付ける取付金具が、パネル本体側取付金具１と第１の外装材側取付金具２と第２の外装材側取付金具３とから構成され、第１の外装材係合部２５と第２の外装材係合部３５とが、パネル本体側取付金具１の折り返し部１４の長手方向の任意位置で係合出来るので、隣接する外装材５、５の側端部５ａ、５ｂの取付位置を折り返し部１４の長さの範囲内で調節することが出来ることとなって、パネル本体側取付金具１を予めパネル本体４に取り付けても、外装材５、５の寸法誤差の影響を吸収して外装材５、５をパネル本体４に取り付けることが出来る。
【００３５】
即ち、従来のパネル本体４に直接取り付けられる部分（パネル本体側取付金具１に相当）と外装材５に取り付けられる部分（第１の外装材側取付金具２、第２の外装材側取付金具に相当）が一体化された取付金具を予めパネル本体に取り付けた場合、外装材５の寸法誤差が許容誤差範囲内にあっても、何枚か連続して取り付けた結果、合計の寸法誤差が外装材側取付金具間の幅許容差よりも大きくなると、パネル本体４に外装材５を取り付けられないおそれがあったが、本発明の取付金具１、２、３を使用すると、外装材５の取付位置をパネル本体側取付金具１の折り返し部１４の長さの範囲内で調整出来るので、寸法誤差分を容易に吸収出来る。
従って、例えば、工場等でパネル本体側取付金具１を予めパネル本体４に取り付けておくことが出来て、外装材５のパネル本体４への現場での取付作業が容易となる。
【００３６】
また、第１の外装材係合部２５に設けられた第１の突出部２３及び第２の外装材係合部３５に設けられた第２の突出部３３，３３とによって、第１のベース部２１の両側端部２１ａ、２１ａ及び第２のベース部３１の両側端部３１ａ、３１ａが折り返し部１４に弾性的に押圧されるので、釘やビス、或いは接着剤等を用いずとも第１の外装材側取付金具２と第２の外装材側取付金具３とをパネル本体側取付金具１に固定させることが出来ることとなって、より外装材５の取付作業を容易にすることが出来る。
更に、上記示した外装材５、５のパネル本体４への取付方法によれば、パネル本体４に取り付けられたパネル本体側取付金具１の折り返し部１４に第１のベース部２１の側端部２１ａ、２１ａと第２のベース部３１の側端部３１ａ、３１ａが係合され、第１の外装材係合部２５と第２の外装材係合部３５とが、折り返し部１４の長手方向の任意位置で折り返し部１４に弾性的に押圧されて係合されるので、隣接する外装材５、５同士の取り付け位置を折り返し部１４の長さの範囲で調整出来ることなって、外装材５、５のパネル本体４への取付作業を容易にすることが出来る。
【００３７】
加えて、パネル本体４は、住宅の躯体を構成しているので、躯体に直接外装材５を取り付けることが出来て、施工効率が向上する。
即ち、パネル本体４が躯体でない場合には、別途躯体となるべきパネル本体を設けなければならないが、パネル本体４が躯体を構成しているのでそのような必要はなく、作業効率の向上が可能となる。
【００３８】
なお、上記実施の形態においては、パネル工法を例として説明したが、在来の軸組工法やツーバイフォー工法によって構築された外壁にも適用可能である。
【００３９】
【発明の効果】
請求項１記載の発明によれば、外装材をパネル本体に取り付ける取付金具が、パネル本体側取付金具と外装材側取付金具から構成され、パネル本体側取付金具の任意場所で外装材側取付金具が係止されるので、パネル本体側取付金具を予めパネル本体に取り付けた場合でも、外装材の寸法誤差の影響を吸収して外装材をパネル本体に取り付けることが出来る。
即ち、従来のパネル本体に直接取り付けられる部分と外装材に取り付けられる部分が一体化された取付金具を予めパネル本体に取り付けた場合、外装材の寸法誤差が許容範囲内にあっても、何枚か連続して取り付けた結果、合計の寸法誤差が外装材側取付金具間の幅許容差よりも大きくなると、パネル本体に外装材を取り付けられないおそれがあったが、本発明の取付金具を使用すると、外装材の取付位置をパネル本体側取付金具内で調整出来るので、寸法誤差分を容易に吸収出来る。
従って、例えば、工場等でパネル本体側取付金具を予めパネル本体に取り付けておくことが出来て、外装材のパネル本体への現場での取付作業が容易となる。
また、第１の溝部係合部及び第２の溝部係合部が溝部に弾性的に押圧され、第１の外装材側取付金具と第２の外装材側取付金具とが、溝部の長手方向の任意位置で係止されるので、釘やビス、或いは接着剤等を用いずとも第１の外装材側取付金具と第２の外装材側取付金具とがパネル本体側取付金具に固定されることとなって、より外装材の取付作業を容易にすることが出来る。
【００４１】
請求項２記載の発明によれば、請求項１記載の発明の効果と同様の効果が得られることは無論のこと、特に、パネル本体は、住宅の躯体を構成しているので、躯体に直接外装材を取り付けることが出来て、施工効率が向上する。
即ち、パネル本体が躯体でない場合には、別途躯体となるべき壁体を設けなければならないが、パネル本体が躯体を構成しているのでそのような必要はなく、作業効率の向上が可能となる。
【００４２】
請求項３記載の発明によれば、パネル本体を立設した後、パネル本体の壁面に、縦方向及び横方向に所定の間隔でパネル本体側取付金具が取り付けられ、次いで、パネル本体側取付金具の溝部に、第１の外装材側取付金具の第１の溝部係合部が移動可能に係合され、次いで、第１の外装材側取付金具に、一の外装材が取り付けられ、次いで、パネル本体側取付金具の溝部に、第２の外装材側取付金具の第２の溝部係合部が移動可能に係合され、次いで、第２の外装材側取付金具に、他の一の外装材が取り付けられ、次いで、第１の外装材側取付金具と第２の外装材側取付金具とを、係止させて、第１の溝部係合部と第２の溝部係合部とが、溝部に押圧される。
従って、隣接する外装材同士の取り付け位置を溝部の長さの範囲で調整出来ることなって、外装材のパネル本体への取付作業を容易にすることが出来る。
【００４３】
請求項４記載の発明によれば、パネル本体の壁面に、縦方向及び横方向に所定の間隔でパネル本体側取付金具が取り付けられた後、次いで、パネル本体が立設され、次いで、パネル本体側取付金具の溝部に、第１の外装材側取付金具の第１の溝部係合部が移動可能に係合され、次いで、第１の外装材側取付金具に、一の外装材が取り付けられ、次いで、パネル本体側取付金具の溝部に、第２の外装材側取付金具の第２の溝部係合部が移動可能に係合され、次いで、第２の外装材側取付金具に、他の一の外装材が取り付けられ、次いで、第１の外装材側取付金具と第２の外装材側取付金具とが、係止されて、第１の溝部係合部と第２の溝部係合部とが、溝部に押圧される。
隣接する外装材同士の取り付け位置を溝部の長さの範囲で調整出来ることなって、外装材のパネル本体への取付作業を容易にすることが出来る。
加えて、パネル本体の立設前に、予めパネル本体にパネル本体側取付金具を取り付けておくことが出来るので、パネル本体側取付金具の取付作業を工場等で出来ることとなって、現場作業効率の向上を図ることが出来る。
【図面の簡単な説明】
【図１】本発明に係る取付金具を用いて構築した外壁構造を示すための外壁部要部の断面図である。
【図２】本発明に係るパネル本体側取付金具の斜視図である。
【図３】本発明に係るパネル本体側取付金具の平面図である。
【図４】本発明に係るパネル本体側取付金具の正面図である。
【図５】本発明に係る第１の外装材側取付金具の斜視図である。
【図６】本発明に係る第１の外装材側取付金具の平面図である。
【図７】本発明に係る第１の外装材側取付金具の正面図である。
【図８】本発明に係る第１の外装材側取付金具の左側面図である。
【図９】本発明に係る第１の外装材側取付金具の背面図である。
【図１０】本発明に係る第２の外装材側取付金具の斜視図である。
【図１１】本発明に係る第２の外装材側取付金具の平面図である。
【図１２】本発明に係る第２の外装材側取付金具の正面図である。
【図１３】本発明に係る第２の外装材側取付金具の左側面図である。
【図１４】本発明に係る第２の外装材側取付金具の背面図である。
【図１５】本発明に係る外装材取付方法を説明するための図であって、パネル本体側取付金具をパネル本体に取り付けた状態を示した外壁部の斜視図である。
【図１６】本発明に係る外装材取付方法を説明するための図であって、パネル本体側取付金具に第１の外装材側取付金具を挿入した状態を示した外壁部要部の断面図である。
【図１７】図１６に続いて、パネル本体側取付金具に第２の外装材側取付金具を挿入した状態を示した外壁部要部の断面図である。
【図１８】図１７に続いて、パネル本体側取付金具に第２の外装材側取付金具に外装材を取り付けた状態を示した外壁部要部の断面図である。
【図１９】図１のＡ部拡大図である。
【図２０】従来の壁パネルの構造を示した斜視図である。
【図２１】従来の取付金具を用いて外装材を取り付ける過程を示した住宅の要部の斜視図である。
【符号の説明】
１    パネル本体側取付金具
２    第１の外装材側取付金具
３    第２の外装材側取付金具
４    パネル本体
５    外装材
１４    折り返し部（溝部）
２１ａ  側端部（第１の溝部係合部）
２３    第１の突出部（押圧部）
２５    第１の外装材係合部
３１ａ  側端部（第２の溝部係合部）
３３    第２の突出部（押圧部）
３５    第２の外装材係合部
５１ａ  下実（第１の被係合部）
５２ｂ  凸部（第２の被係合部）
【図１】
0004283935.tif 000002
【図２】
0004283935.tif 000003
【図３】
0004283935.tif 000004
【図４】
0004283935.tif 000005
【図５】
0004283935.tif 000006
【図６】
0004283935.tif 000007
【図７】
0004283935.tif 000008
【図８】
0004283935.tif 000009
【図９】
0004283935.tif 000010
【図１０】
0004283935.tif 000011
【図１１】
0004283935.tif 000012
【図１２】
0004283935.tif 000013
【図１３】
0004283935.tif 000014
【図１４】
0004283935.tif 000015
【図１５】
0004283935.tif 000016
【図１６】
0004283935.tif 000017
【図１７】
0004283935.tif 000018
【図１８】
0004283935.tif 000019
【図１９】
0004283935.tif 000020
【図２０】
0004283935.tif 000021
【図２１】
0004283935.tif 000022